【事件の表示】
　特願２０１２−５０６６２１「抵抗性の相互接続層を有するセグメント化されたエレクトロルミネセンス素子」拒絶査定不服審判事件〔平成２２年１１月　４日国際公開、ＷＯ２０１０／１２５４９３、平成２４年１０月１８日国内公表、特表２０１２−５２４９６３、請求項の数（１５）〕について、次のとおり審決する。
【結　論】
　原査定を取り消す。
　本願の発明は、特許すべきものとする。
【理　由】
第１　手続の経緯　
　本願は、２０１０年４月１９日（パリ条約による優先権主張外国庁受理２００９年４月２３日、欧州特許庁）を国際出願日とする出願であって、平成２５年１１月２５日付けで拒絶理由が通知され、平成２６年６月３０日付けで拒絶査定（以下、「原査定」という）がなされ、これに対し、同年１１月５日に拒絶査定不服審判が請求されると同時に手続補正がなされ、その後、当審において平成２７年１０月２９日付けで拒絶理由（以下、「当審拒絶理由」という）が通知され、平成２８年４月１５日に手続補正がなされたものである。
　
第２　本願発明
　本願の請求項１ないし１５に係る発明は、平成２８年４月１５日になされた手続補正により補正された特許請求の範囲の請求項１ないし１５に記載された事項により特定されるものと認められるところ、本願の請求項１及び５に係る発明（以下、請求項１に係る発明を「本願発明１」といい、請求項５に係る発明を「本願発明２」という。）は以下のとおりである。
「　【請求項１】
　基板上に複数のセグメントを有するセグメント化されたエレクトロルミネセンス素子であって、
　各セグメントは、エレクトロルミネセンス層の第１の面に配置される第１の電極層と、前記エレクトロルミネセンス層の第２の面に配置される第１のスクエア抵抗を有する第２の電極層とを備えるエレクトロルミネセンス層、及び前記第１のスクエア抵抗よりも大きい第２のスクエア抵抗を有する抵抗層を有し、
　前記抵抗層は、前記基板上の互いに隣接するセグメント間のギャップ内に堆積されて形成されてなり、前記複数のセグメントの中の第１のセグメントを前記複数のセグメントの中の隣接する第２のセグメントと接続し、
　前記抵抗層は、前記第１のセグメントの第２の電極層を前記第２のセグメントの第１の電極層と接続する、エレクトロルミネセンス素子。」
「　【請求項５】
　基板上に複数のセグメントを有するセグメント化されたエレクトロルミネセンス素子であって、
　各セグメントは、エレクトロルミネセンス層の第１の面に配置される第１の電極層と、前記エレクトロルミネセンス層の第２の面に配置される第１のスクエア抵抗を有する第２の電極層とを備えるエレクトロルミネセンス層、及び前記第１のスクエア抵抗よりも大きい第２のスクエア抵抗を有する抵抗層を有し、
　前記抵抗層は、前記複数のセグメントの中の第１のセグメントを前記複数のセグメントの中の隣接する第２のセグメントと接続し、
　前記抵抗層は、前記第１のセグメントの第２の電極層を前記第２のセグメントの第１の電極層と接続し、
　前記抵抗層は、前記基板上の互いに隣接するセグメントの間のギャップ内に延在する、
　エレクトロルミネセンス素子。」
　
第３　原査定の理由について
１．原査定の理由の概要
　この出願の請求項１ないし４に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
刊行物１：特表２００７−５２３３６８号公報
　
　刊行物１には、ＯＬＥＤ等において、図３ａ（審決注：平成２５年１１月２５日付け拒絶理由通知書には「図３ｂ」と記載されているが、「図３ａ」の誤記と認められる。）のようにＥＬダイオード１１を直列に接続すること、直列接続ダイオード群のうち１つ以上程度を電流制限素子として機能するダイオード（抵抗層に相当、抵抗層は構造化されることに相当）とすること（抵抗層を有することに相当）、が記載されている。ここで、第１の電極層に相当する部材やエレクトロルミネセンス層に相当する部材や第２の電極層に相当する部材は当然存在するものと認める。そして、上記直列接続ダイオード群中の、発光するＥＬダイオード１１と別の発光するＥＬダイオード１１との間に上記電流制限素子として機能するダイオード（抵抗層に相当、抵抗層は構造化されることに相当）を配置するかどうかは、当業者であれば適宜選択し得る事項である。上記配置による格別な効果は見出せない。
　
２．原査定の理由についての当審の判断
（１）刊行物１の記載事項
ア　刊行物１には、
　図３ａは、
単一のＯＬＥＤ画素10の各々の内部に複数のＥＬダイオード11が直列に接続され
上面発光構成
カソードは透明である
　この配置で１つのＥＬダイオード11が短絡することは、単に、ＯＬＥＤ画素10内で直列接続されたその他のＥＬダイオード11の電流負荷を増大させることになること、
　
ＥＬダイオード11はそれ自体が電流制限素子となり、その場合、ＯＬＥＤ画素10内の各ダイオード11は放出光全体の幾らかの部分を提供し、あるいは、直列接続ダイオード群の内の１つ以上は、光を放出せずに単に電流制限素子として機能するダイオードとされることも可能であ
　図３ｂは、この第１実施形態のＯＬＥＤ画素10内に置かれた構成要素の平面図を示していること、
　
ＥＬダイオード11は好適にドープされたＯＬＥＤ材料から形成され
１つのＥＬダイオード11のカソードが隣のダイオード11のアノードに接続するように、直列に配置され
　図３ｃの側面図に示されるように、
ジャンパ36がカソード14とアノード16との間のこの接続を形成し
　
各ＥＬダイオード11の位置に、アノードライン26をカソードライン24から分離するための絶縁体34が設けられ
　等が記載されている（段落【００２７】ないし【００２８】、図３ａないし図３ｃ参照。）。
　また、図３ｃから、
基板18上にアノード16が配設され、前記アノード16とカソード14との間に有機層12が挟まれて１つのＥＬダイオード11が構成され
前記アノード16の一部分は前記有機層12に覆われず露出しており、１つのＥＬダイオード11のカソード14と隣接するＥＬダイオード11のアノード16の前記露出した部分とがジャンパ36で接続され
前記ジャンパ36は、互いに隣接するＥＬダイオード11の間のギャップの上方でかつ基板18から離間した位置に配設され
イ　そうすると、刊行物１には、
「各々の内部に複数のＥＬダイオードが直列に接続された上面発光構成の単一のＯＬＥＤ画素であって、
　カソードは透明であり、
　前記ＥＬダイオードはそれ自体が電流制限素子となり、その場合、ＯＬＥＤ画素内の各ダイオードは放出光全体の幾らかの部分を提供し、あるいは、直列接続ダイオード群の内の１つ以上は、光を放出せずに単に電流制限素子として機能するダイオードとされることも可能であり、
　前記ＥＬダイオードは好適にドープされたＯＬＥＤ材料から形成され、
　基板上にアノードが配設され、前記アノードとカソードとの間に有機層が挟まれて１つのＥＬダイオードが構成され、
１つのＥＬダイオードのカソードが隣のダイオードのアノードに接続するように、直列に配置され、
　ジャンパがカソードとアノードとの間のこの接続を形成しており、
　前記アノードの一部分は前記有機層に覆われず露出しており、１つのＥＬダイオードのカソードと隣接するＥＬダイオードのアノードの前記露出した部分とが前記ジャンパで接続され、
　前記ジャンパは、互いに隣接するＥＬダイオードの間のギャップの上方でかつ基板から離間した位置に配設され、
　各ＥＬダイオードの位置に、アノードラインをカソードラインから分離するための絶縁体が設けられている、
　ＯＬＥＤ画素。」の発明（以下、「引用発明１」という。）が記載されている。
　
（２）対比
　ア　本願発明１と引用発明１とを対比すると、両者は、基板上に配設されたエレクトロルミネセンス素子である点で一致する。他方、本願発明１と引用発明１は、少なくとも、次の相違点１において相違する。
　
相違点１：
　本願発明１では、「第１セグメント」と「第２セグメント」とが基板上の互いに隣接するセグメント間のギャップ内に堆積されて形成されてなる抵抗層で接続されているのに対し、
　引用発明１では、前記ＥＬダイオードはそれ自体が電流制限素子となり、その場合、ＯＬＥＤ画素内の各ダイオードは放出光全体の幾らかの部分を提供し、あるいは、直列接続ダイオード群の内の１つ以上は、光を放出せずに単に電流制限素子として機能するダイオードとされることも可能であり、また、１つのＥＬダイオードのカソードと隣接するＥＬダイオードのアノードとを接続するジャンパは、互いに隣接するＥＬダイオードの間のギャップの上方でかつ基板から離間した位置に配設されている点。
　
　イ　本願発明２と引用発明１とを対比すると、両者は、基板上に配設されたエレクトロルミネセンス素子である点で一致する。他方、本願発明２と引用発明１は、少なくとも、次の相違点２において相違する。
　
相違点２：
　本願発明２では、「第１セグメント」と「第２セグメント」とが基板上の互いに隣接するセグメント間のギャップ内に延在する抵抗層で接続されているのに対し、
　引用発明１では、前記ＥＬダイオードはそれ自体が電流制限素子となり、その場合、ＯＬＥＤ画素内の各ダイオードは放出光全体の幾らかの部分を提供し、あるいは、直列接続ダイオード群の内の１つ以上は、光を放出せずに単に電流制限素子として機能するダイオードとされることも可能であり、また、１つのＥＬダイオードのカソードと隣接するＥＬダイオードのアノードとを接続するジャンパは、互いに隣接するＥＬダイオードの間のギャップの上方でかつ基板から離間した位置に配設されている点。
　
（３）判断
　上記相違点１及び２について、まとめて検討する。
　引用発明１では、直列接続されたＥＬダイオードそれ自体が電流制限素子（抵抗）として動作する構成であるから、引用発明１において、ジャンパを電流制限素子（抵抗）とする動機づけはないといわざるを得ない。
　また、引用発明１において、ギャップの上方でかつ基板から離間した位置に配設されているジャンパを、互いに隣接するセグメント間のギャップ内に堆積されて形成されたもの、あるいは、互いに隣接するセグメント間のギャップ内に延在するものとする動機づけもない。
　そうすると、引用発明１のジャンパを、互いに隣接するセグメント間のギャップ内に堆積されて形成されてなる抵抗層、あるいは、互いに隣接するセグメント間のギャップ内に延在する抵抗層に設計変更することが当業者にとって容易であるとはいえない。
　
（４）小括
　したがって、その他の相違点について検討するまでもなく、本願発明１及び２は、当業者が引用発明１に基づいて容易に発明をすることができたとはいえない。
　本願の請求項２ないし４及び請求項６ないし１５に係る発明は、本願発明１又は２をさらに限定したものであるので、本願発明１及び２と同様に、当業者が引用発明１に基づいて容易に発明をすることができたとはいえない。
　よって、原査定の理由によっては、本願を拒絶することはできない。
　
第４　当審拒絶理由について
１．当審拒絶理由の概要
　本件出願の請求項１、２、４ないし６に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
刊行物２：特表２００８−５０８６７３号公報
　
　刊行物２に記載された発明の相互接続パッド１７１は、アルミニウム、ＩＴＯ、コロイド金属及びＰＥＤＯＴ：ＰＳＳから選ばれる導電性材料であるところ、相互接続パッド１７１の材料としてＰＥＤＯＴ：ＰＳＳを選択した場合、アルミニウム等の金属層からなるカソード層１１０のスクエア抵抗よりも、ＰＥＤＯＴ：ＰＳＳを用いた相互接続パッド１７１のスクエア抵抗の方が大きくなることは明らかであるから、引用発明の「相互接続パッド１７１」は、その材料としてＰＥＤＯＴ：ＰＳＳを選択した場合、本願の請求項１又は５に係る発明の「第１のスクエア抵抗よりも大きい第２のスクエア抵抗を有する抵抗層」に相当するといえる。
　刊行物２に記載された発明の「相互接続パッド１７１」の材料としてＰＥＤＯＴ：ＰＳＳを選択した場合、本願の請求項１又は５に係る発明と刊行物２に記載された発明との間には相違する点はない。
　そして、刊行物２に記載された発明において、「抵抗層（相互接続パッド）」をＰＥＤＯＴ：ＰＳＳで形成することは、当業者であれば容易に想到し得る事項であるから、本願の請求項１又は５に係る発明は、当業者が刊行物２に記載された発明に基づいて容易に発明をすることができたものである。
　
２．当審拒絶理由についての合議体の判断
（１）刊行物２の記載事項
ア　刊行物２には、次の（ア）ないし（オ）の事項が記載されている。
（ア）「【請求項１１】
　
相互接続された光−電子装置のカプセル化されたモジュール
　
基板上の光−電子活性セルの配列であって、各セルは前記基板上に形成された第１電極層、前記第１電極層の主要部上の光−電子活性層、光−電子活性層の前記層の上に形成され前記第１電極層の主要部を覆う第２電極層を含み、前記第１電極層の微小領域は前記光−電子活性材料層及び前記第２電極層で覆われていない配列、
　その上に相互接続の配列を有し、光−電子活性セルの前記配列上にラミネートされるカプセル用シート
　を含み、
　前記セルは、１つのセルの前記第１電極の微小領域及び他のセルの前記第２電極層に接する前記相互接続によって相互接続されているモジュール
【請求項１２】
　
前記光−電子装置は、
有機発光ダイオード（ＯＬＥＤ）装置である
・・・（中略）・・・
【請求項１８】
　
前記相互接続パッドは、アルミニウム、ＩＴＯ，コロイド金属及びＰＥＤＯＴ：ＰＳＳから選ばれる導電性材料である
【請求項１９】
　
前記セルは直列配列で前記相互接続パッドにより相互接続され
（イ）「【０００１】
　本発明は、カプセル型モジュールを形成するために、有機起電装置（ＰＶ）又は有機発光ダイオード（ＯＬＥＤ）装置のような有機光−電子装置の個々の光−電子的活性セルの相互接続及びカプセル化に関するものである。本発明は、特に、
カプセル型有機光−電子装置モジュールを形成する基板上の光−電子装置の配列を相互接続及びカプセル化
（ウ）「【００２６】
　次に、例えば、
アルミニウムのような１又は２以上の金属層からなるカソードが活性層上に蒸着される
（エ）「【００３１】
　スパッタリング、シャドウ蒸着又はスクリーン印刷のような技術によって導電性パッドが基板上に形成される。例えば、シャドウ蒸着又はスパッタリングによって蒸着される金属（例えば、アルミニウム）。スパッタリングによって蒸着され、フォトリソグラフィープロセスによってパターニングされたＩＴＯ又はＴＣＯ。
【００３２】
　スクリーン印刷又は他の印刷技術によって蒸着されたコロイド金属懸濁液。
【００３３】
　スクリーン印刷又は他の印刷技術によって蒸着されたＰＥＤＯＴ：ＰＳＳのような高導電性プラスチック。
【００３４】
　好ましい実施態様において、
相互接続パッドはアルミニウム、ＩＴＯ、懸濁金属及びＰＥＤＯＴ：ＰＳＳから選択される導電性材料からなる
（オ）「【００４０】
　図１は、活性層１０８の一部の選択的除去の前の装置の
配列１００
基板１０２
透明導電性酸化物（ＴＣＯ）で形成されるアノード層１０４で被覆され
ＰＥＤＯＴ：ＰＳＳのような正孔輸送層を蒸着し、焼成し、焼成された正孔輸送層
１又は２以上のポリマー又は低分子光−活性材料で形成される光−電子活性層で被覆する
活性層１０８
【００４１】
　ハロゲン化アルカリ介入層の蒸着後選択的に、
金属アノード層１１０（審決注：明らかに「金属カソード層１１０」の誤記と認められる。）が活性層１０８上に蒸着され
【００４２】
　図２を参照すると、
相互接続がアノード領域又は他の導電性トラック及びパッドになされる領域を覆う正孔輸送層及び活性層１０８を選択的に除去することにより、装置の配列１００中の正孔輸送層と活性層１０８がパターニングされ
カソード１１０によって覆われていない各アノード１０４の一部を覆う正孔輸送層及び活性層１０８の一部は除去され、各アノードの微小領域１０４ａを露出させ
活性層１０８を選択的に除去する適切な技術はレーザーアブレーション及びプラズマエッチングを含む
【００４３】
　独立して、図３に示される
柔軟性プラスチック基板１７２からなるカプセル用及び相互接続シート１７０が作成され、この上には酸素及び水蒸気に対する透過性を減らすために障壁層が選択的に蒸着され
接続用相互接続パッド１７１がスパッタリング、シャドウ蒸着又はスクリーン印刷のような技術によって蒸着され
【００４４】
　次いで、図２に示される完成装置の
配列１００は、
相互接続／カプセル用シート１７０に接触するように配置され
２シートを一緒にラミネートするために、好ましくは圧力又は熱の導入のもとにそこにラミネートされ
【００４５】
　このように、図５に示されるような完全にラミネートされた構造が製造され、この上では、
相互接続パッド１７１がカソード１１０及び隣接する装置セルの露出したアノード部分１０４ａ
に接触する
プラスチックシート１７２は、追加的に装置の配列を保護し、環境に対する保護及び堅固さが得られる
この方法は、
ロール−ロール製造技術によってラミネートされる
・・・（中略）・・・
【００４７】
　配列がＯＬＥＤ配列である場合、
個々のＯＬＥＤは固定した画像を形成するため、英数字ディスプレイのような単純な動きのディスプレイ、又は照明の目的のために使用され
（カ）図５は次のとおりのものである。
【図５】
　
イ　そうすると、刊行物２には、
「相互接続された光−電子装置のカプセル化されたモジュールであって、
　当該モジュールは、
　基板上の光−電子活性セルの配列であって、各セルは前記基板上に形成された第１電極層、前記第１電極層の主要部上の光−電子活性層、光−電子活性層の前記層の上に形成され前記第１電極層の主要部を覆う第２電極層を含み、前記第１電極層の微小領域は前記光−電子活性層及び前記第２電極層で覆われていない配列、その上に相互接続パッドの配列を有し、光−電子活性セルの前記配列上にラミネートされるカプセル用シートを含み、前記セルは、１つのセルの前記第１電極層の微小領域及び他のセルの前記第２電極層に接する前記相互接続パッドによって相互接続されているモジュールであり、
　前記光−電子装置が有機発光ダイオード装置（ＯＬＥＤ）であり、
　前記相互接続パッドは、アルミニウム、ＩＴＯ、コロイド金属及びＰＥＤＯＴ：ＰＳＳから選ばれる導電性材料であり、
　前記セルは直列配列で前記相互接続パッドにより相互接続され、個々のＯＬＥＤは固定した画像を形成するため、英数字ディスプレイのような単純な動きのディスプレイ又は照明の目的のために使用され、
　前記光−電子活性セルの配列は、基板、該基板を被覆する透明導電性酸化物（ＴＣＯ）で形成されるアノード層、ＰＥＤＯＴ：ＰＳＳのような材料を蒸着し、焼成して形成された正孔輸送層、該正孔輸送層を被覆する１又は２以上のポリマー又は低分子光−活性材料で形成される光−電子活性層、該光−電子活性層上に蒸着される金属カソード層を含み、
　相互接続がアノード領域又は他の導電性トラック及びパッドになされる領域を覆う正孔輸送層及び光−電子活性層を選択的に除去することにより、前記配列中の正孔輸送層と光−電子活性層がパターニングされ、金属カソード層によって覆われていない各アノード層の一部を覆う正孔輸送層及び光−電子活性層の一部がレーザーアブレーションやプラズマエッチング等の適切な技術を用いて選択的に除去されることにより、各アノード層の微小領域が露出しており、
　柔軟性プラスチック基板からなる相互接続／カプセル用シートの上に酸素及び水蒸気に対する透過性を減らすために障壁層が選択的に蒸着されることができ、また、前記柔軟性プラスチック基板からなる相互接続／カプセル用シートの上にスパッタリング、シャドウ蒸着又はスクリーン印刷のような技術によって相互接続パッドが蒸着され、
　前記配列のシートは、前記相互接続／カプセル用シートに接触するように配置され、二つのシートは、好ましくは圧力又は熱の導入のもとにロール−ロール製造技術によって一緒にラミネートされ、
　それにより、前記相互接続パッドが金属カソード層及び隣接する装置セルの露出したアノード層の微小領域に接触するようにされ、
　また、前記柔軟性プラスチックシートは、追加的に装置の配列を保護し、環境に対する保護及び堅固さを得るためのものであり、
　前記金属カソード層は、アルミニウムのような１又は２以上の金属層を活性層上に蒸着することにより形成される、
　光−電子装置のカプセル化されたモジュール。」の発明（以下「引用発明２」という。）が記載されている。
　
（２）対比
ア　本願発明１と引用発明２との対比
（ア）引用発明２の「基板」、「『光−電子活性セル』、『セル』及び『装置セル』」、「『第１電極層』及び『アノード層』」、「『第２電極層』及び『金属カソード層』」、「光−電子活性層」及び「『光−電子装置』及び『有機発光ダイオード装置（ＯＬＥＤ）』」は、それぞれ、本願発明１の「基板」、「セグメント」、「第１の電極層」、「第２の電極層」、「エレクトロルミネセンス層」及び「エレクトロルミネセンス素子」に相当する。
（イ）引用発明２の「相互接続パッド」は、アルミニウム、ＩＴＯ、コロイド金属及びＰＥＤＯＴ：ＰＳＳから選ばれる導電性材料であるところ、ＰＥＤＯＴ：ＰＳＳの抵抗率は１Ωｃｍオーダー程度であるのに対し、「第２の電極層（金属カソード層）」の材料であるアルミニウムのような金属層の抵抗率は１０−６Ωｃｍオーダー程度であること、及び、ＰＥＤＯＴ：ＰＳＳの層厚は通常〜１ｍｍ程度であるのに対し、アルミニウム等の金属層からなるカソードの層厚は通常〜１μｍ程度であること、からみて、「相互接続パッド」の材料としてＰＥＤＯＴ：ＰＳＳを選択した場合、アルミニウム等の金属層からなる「第２の電極層（金属カソード層）」のスクエア抵抗よりも、ＰＥＤＯＴ：ＰＳＳを用いた「相互接続パッド」のスクエア抵抗の方が大きくなることは明らかである。そうすると、引用発明２の「相互接続パッド」は、その材料としてＰＥＤＯＴ：ＰＳＳを選択した場合、本願発明１の「第１のスクエア抵抗よりも大きい第２のスクエア抵抗を有する抵抗層」に相当するといえる。
（ウ）引用発明２の「エレクトロルミネセンス素子（有機発光ダイオード装置）」は、刊行物２の図５からみて、複数の「セグメント（セル）」を有するから、「セグメント化されたエレクトロルミネセンス素子」であるといえる。また、各「セグメント（セル）」の配列は、基板、該基板を被覆する透明導電性酸化物（ＴＣＯ）で形成される「第１の電極層（アノード層）」、ＰＥＤＯＴ：ＰＳＳのような材料を蒸着し、焼成して形成された正孔輸送層、該正孔輸送層を被覆する１又は２以上のポリマー又は低分子光−活性材料で形成される「エレクトロルミネセンス層（光−電子活性層）」、該「エレクトロルミネセンス層（光−電子活性層）」上に蒸着される「第２の電極層（金属カソード層）」を含むものである。これらのこと及び上記（ア）及び（イ）からみて、引用発明２の「エレクトロルミネセンス素子（有機発光ダイオード装置）」と、本願発明１の「エレクトロルミネセンス素子」とは、「複数のセグメントを有」し「セグメント化され」ている点で一致するとともに、引用発明２の「相互接続パッド」の材料としてＰＥＤＯＴ：ＰＳＳを選択した場合、引用発明２の各「セグメント（セル）」と、本願発明１の各「セグメント」とは、「エレクトロルミネセンス層の第１の面に配置される第１の電極層と、前記エレクトロルミネセンス層の第２の面に配置される第１のスクエア抵抗を有する第２の電極層とを備えるエレクトロルミネセンス層、及び前記第１のスクエア抵抗よりも大きい第２のスクエア抵抗を有する抵抗層を有」する点で一致する。
（エ）引用発明２の「抵抗層（相互接続パッド）」は、１つの「セグメント（セル）」の「第１の電極層（第１電極層）」の微小領域及び他の「セグメント（セル）」の「第２の電極層（第２電極層）」に接し、これらを相互接続するものであり、刊行物２の図５から、１つの「セグメント（装置セル）」と他の「セグメント（装置セル）」が隣接していること、及び、「抵抗層（相互接続パッド）」が１つの「セグメント（装置セル）」と隣接する「セグメント（装置セル）」との間のギャップの上方でかつ「基板」から離間した位置に配設されていることが見てとれる。したがって、引用発明の「抵抗層（相互接続パッド）」と、本願発明１の「抵抗層」とは、当該「抵抗層」が「複数のセグメントの中の第１のセグメントを複数のセグメントの中の隣接する第２のセグメントと接続」するものである点、及び、「第１のセグメントの第２の電極層を第２のセグメントの第１の電極層と接続」するものである点で一致する。
（オ）上記（ア）ないし（エ）からみて、引用発明２の「相互接続パッド」の材料としてＰＥＤＯＴ：ＰＳＳを選択した場合、本願発明１と引用発明２とは、
「基板上に複数のセグメントを有するセグメント化されたエレクトロルミネセンス素子であって、
　各セグメントは、エレクトロルミネセンス層の第１の面に配置される第１の電極層と、前記エレクトロルミネセンス層の第２の面に配置される第１のスクエア抵抗を有する第２の電極層とを備えるエレクトロルミネセンス層、及び前記第１のスクエア抵抗よりも大きい第２のスクエア抵抗を有する抵抗層を有し、
　前記抵抗層は、前記複数のセグメントの中の第１のセグメントを前記複数のセグメントの中の隣接する第２のセグメントと接続し、
　前記抵抗層は、前記第１のセグメントの第２の電極層を前記第２のセグメントの第１の電極層と接続する、エレクトロルミネセンス素子。」
　で一致し、次の点で相違する。
　
相違点３：
　本願発明１では、前記「抵抗層」が、「基板上の互いに隣接するセグメント間のギャップ内に堆積されて形成されてな」るのに対し、
　引用発明２では、「抵抗層」に相当する「相互接続パッド」は、柔軟性プラスチック基板からなる相互接続／カプセル用シートの上に、スパッタリング、シャドウ蒸着又はスクリーン印刷のような技術によって蒸着されたものであり、配列のシートが、前記相互接続／カプセル用シートに接触するように配置され、二つのシートが、好ましくは圧力又は熱の導入のもとにロール−ロール製造技術によって一緒にラミネートされることより、前記「相互接続パッド」が金属カソード層及び隣接する「セグメント（装置セル）」の露出したアノード層の微小領域に接触するようにされるものであり、その結果、前記「抵抗層（相互接続パッド）」が、互いに隣接する「セグメント（装置セル）」間のギャップの上方でかつ基板から離間した位置に配設されている点。
　
イ　本願発明２と引用発明２との対比
　本願発明２と引用発明２のそれぞれの構成要素の相当性及び構成の一致性についての検討は、本願発明１と引用発明２のそれと同様であり、上記ア（ア）ないし（エ）に記載したとおりである。
　そうすると、引用発明２の「相互接続パッド」の材料としてＰＥＤＯＴ：ＰＳＳを選択した場合、本願発明２と引用発明２とは、
「基板上に複数のセグメントを有するセグメント化されたエレクトロルミネセンス素子であって、
　各セグメントは、エレクトロルミネセンス層の第１の面に配置される第１の電極層と、前記エレクトロルミネセンス層の第２の面に配置される第１のスクエア抵抗を有する第２の電極層とを備えるエレクトロルミネセンス層、及び前記第１のスクエア抵抗よりも大きい第２のスクエア抵抗を有する抵抗層を有し、
　前記抵抗層は、前記複数のセグメントの中の第１のセグメントを前記複数のセグメントの中の隣接する第２のセグメントと接続し、
　前記抵抗層は、前記第１のセグメントの第２の電極層を前記第２のセグメントの第１の電極層と接続する、
　エレクトロルミネセンス素子。」
　で一致し、次の点で相違する。
　
相違点４：
　本願発明２では、前記「抵抗層」が、「基板上の互いに隣接するセグメントの間のギャップ内に延在する」のに対し、
　引用発明２では、「抵抗層」に相当する「相互接続パッド」は、柔軟性プラスチック基板からなる相互接続／カプセル用シートの上に、スパッタリング、シャドウ蒸着又はスクリーン印刷のような技術によって蒸着されたものであり、配列のシートが、前記相互接続／カプセル用シートに接触するように配置され、二つのシートが、好ましくは圧力又は熱の導入のもとにロール−ロール製造技術によって一緒にラミネートされることより、前記「相互接続パッド」が金属カソード層及び隣接する「セグメント（装置セル）」の露出したアノード層の微小領域に接触するようにされるものであり、その結果、前記「抵抗層（相互接続パッド）」が、互いに隣接する「セグメント（装置セル）」間のギャップの上方でかつ基板から離間した位置に配設されている点。
　
（３）判断
　上記相違点３及び４について、まとめて検討する。
　引用発明２は、相互接続された「エレクトロルミネセンス素子（光−電子装置）」がカプセル化されてモジュールとなっており、また、引用発明２では、柔軟性プラスチック基板は、追加的に装置の配列を保護し、環境に対する保護及び堅固さを得るためのものであり、この目的のために、その上に酸素及び水蒸気に対する透過性を減らすために障壁層が選択的に蒸着されることができるものであるから、省略することはできないものである。また、「抵抗層」に相当する相互接続パッドは、前記柔軟性プラスチック基板からなる相互接続／カプセル用シートの上に、スパッタリング、シャドウ蒸着又はスクリーン印刷のような技術によって蒸着されたものであって、刊行物２の図５からも見てとれるように比較的薄い層であり、また、相互接続／カプセル用シートから分離し難いものである。
　してみれば、引用発明２において、相互接続／カプセル用シートの上に蒸着により形成された比較的薄い層である前記「相互接続パッド」を、ギャップ内に堆積された層としたり、あるいは、ギャップ内に延在するものとすることは、技術的に困難なことであるといわざるを得ず、また、当業者がわざわざそのようなことをする動機づけはないといわざるを得ない。
　そうすると、引用発明２の相互接続パッドを、互いに隣接するセグメント間のギャップ内に堆積されて形成されてなる抵抗層、あるいは、互いに隣接するセグメント間のギャップ内に延在する抵抗層に設計変更することが当業者にとって容易であるとはいえない。
　
（４）小括
　したがって、本願発明１及び２は、当業者が引用発明２に基づいて容易に発明をすることができたものとはいえなくなった。
　本願の請求項２ないし４及び請求項６ないし１５に係る発明についても、本願発明１又は２をさらに限定したものであるので、本願発明１及び２と同様に、当業者が引用発明２に基づいて容易に発明をすることができたものとはいえなくなった。
　そうすると、もはや、当審で通知した拒絶理由によって本願を拒絶することはできない。
　
第５　むすび
　以上のとおり、原査定の理由によっては、本願を拒絶することはできない。
　また、他に本願を拒絶すべき理由を発見しない。
　よって、結論のとおり審決する。